(57)【要約】取り外し可能なリッドを有する飲料容器において、前記容器は、縁、該縁から延びる側壁と、該側壁から内方に延びる肩部とからなり、前記取り外し可能なリッドは、前記縁を越え、前記側壁に沿って延び、前記肩部に対向するエッジを有し、前記容器に取り付けられる。
2008512149.tif 000002
【特許請求の範囲】
【請求項１】
取り外し可能なリッドを有する飲料容器において、
前記容器は、縁、該縁から延びる側壁と、該側壁から内方に延びる肩部とからなり、
前記取り外し可能なリッドは、前記縁を越え、前記側壁に沿って延び、前記肩部に対向するエッジを有し、前記容器に取り付けられる飲料容器。
【請求項２】
前記容器の側壁に複数の肩部が設けられている請求項１に記載の容器。
【請求項３】
前記肩部は前記飲料容器の側壁の周溝によって形成されている請求項１に記載の容器。
【請求項４】
前記容器は外本体を有し、前記側壁は前記外本体の厚肉部を有し、前記肩部は前記厚肉部と前記外本体の間で延びる環状ランド部を有する請求項１に記載の容器。
【請求項５】
前記取り外し可能なリッドは、前記容器に取り付けられたとき前記容器の縁を越えて延びるシールを有する請求項１に記載の容器。
【請求項６】
前記容器の側壁を越えて延びる前記リッドのエッジは、前記リッドの少なくとも一部を破損するように操作して前記リッドを取り外すことができるプルタブ又はリフトタブを有し、前記する請求項１に記載の容器。
【請求項７】
前記リッドは、前記容器の縁内で延びる本体部と、前記容器の縁及び側壁を越えて延びるエッジと、前記本体部上のリフトタブ又はプルタブとからなり、前記リフトタブ又はプルタブは前記本体部の少なくとも一部を破損するように操作して前記リッドを取り外すことができる請求項１に記載の容器。
【請求項８】
前記リッドは、前記容器の縁内で延びる本体部と、前記容器の縁及び側壁を越えて延びるエッジ部とからなり、前記本体部を含むリッドは、前記本体部が凸形状をとり、前記エッジを前記容器の側壁に係合させる凸状位置と、前記本体部が凹形状をとり、前記エッジを前記側壁から外して前記リッドを取り外すことができる凹状位置との間で移動可能である請求項１に記載の容器。
【請求項９】
前記リッドは、前記容器の縁内で延びる本体部と、前記容器の縁及び側壁を越えて延びるエッジ部と、人の指で把持するように適合された頭部と該頭部と前記エッジ部に取り付けられたアーム部とからなるプルタブ又はリフトタブと、前記本体部にあって前記リフトタブ又はプルタブに隣接する弱め領域とからなり、前記リフトタブ又はプルタブは、最初に前記本体部にある弱め領域を破損するように操作して前記アーム部を持ち上げ、前記リッドのエッジを破損し、前記リッドを前記容器から取り外すことができる請求項１に記載の容器。
【請求項１０】
前記リッドは、前記容器の縁内で延びる本体部と、前記容器の縁及び側壁を越えて延びるエッジ部と、人の指で把持するように適合された頭部と該頭部に取り付けられ前記本体部の一部からなるアーム部とからなるプルタブ又はリフトタブとからなり、前記プルタブ又はリフトタブは前記エッジに取り付けられ、前記プルタブ又はリフトタブの操作により最初に前記エッジを破損し、さらに前記プルタブ又はリフトタブを持ち上げることにより前記アーム部が前記本体部から少なくとも部分的に引き裂き、前記リッドを前記容器から取り外すことができる請求項１に記載の容器。
【請求項１１】
前記リッドの縁の回りに少なくとも部分的に延びて前記リッドを前記容器にクランプするのを助けるように適合されたクランプバンドをさらに有し、前記クランプバンドは、前記リッドが前記容器に取り付けられる閉鎖位置と、前記リッドが前記容器から取り外すことができる解放位置との間で動作可能である請求項１に記載の容器。
【請求項１２】
前記リッドのエッジの回りに少なくとも部分的に延びて前記リッドを前記容器にクランプするように適合されたクランプバンドをさらに有し、前記クランプバンドはリフトタブ又はプルタブを有し、前記クランプバンドは前記リッドを引き離すように適合され、その後前記リッドを前記容器から取り外すことができる請求項１に記載の容器。
【請求項１３】
前記エッジは工具受け入れ形状を有し、工具はハンドルとフロント部を有し、前記フロント部は前記工具受け入れ形状と係合するように適合され、前記工具は前記エッジの少なくとも一部を前記容器から取り外し、前記リッドを前記容器から取り外すことができる請求項１に記載の容器。
【請求項１４】
前記エッジは、
前記エッジの一部を形成するが、少なくとも部分的に前記エッジから引き裂かれ、前記リッドを前記容器から取り外すことができる周ストリップ部材と、
前記周ストリップ部材に取り付けられ、人の指で把持されることができ、前記周ストリップ部材の少なくとも一部を前記エッジから引き裂くように操作可能であるタブ部材とからなる請求項１に記載の容器。
【請求項１５】
取り外し可能なリッドを有する飲料容器において、
前記容器は、縁と、該縁から延びる側壁と、前記側壁に取り付け可能で係合形状を有する分離部材とからなり、前記取り外し可能なリッドは、前記縁を越え、前記側壁に沿って延び、前記係合形状に対向するエッジを有し、前記容器に取り付けられる容器。
【請求項１６】
容器と取り外し可能なリッドのアセンブリにおいて、縁と外壁とで形成された開口口部を備えた容器からなり、前記外壁に複数の分離したねじ部材と、前記リッドに複数のねじ受け入れ凹部とを有し、前記リッドは前記容器にねじってロックし、ねじってアンロックすることができる容器と取り外し可能なリッドのアセンブリ。
【発明の詳細な説明】
【技術分野】
【０００１】
本発明は飲料の消費の前に取り外すことができるシール/リッドを有する飲用グラスのような飲料容器に関する。シール/リッド及び/又は飲料容器は、シール効果を大きくし、飲料容器が炭酸飲料又は加圧飲料を収容できるようにするために、特殊なデザインを有する。本発明はアルコール飲料を収容する飲料容器（ガラスはもちろんプラスチックからなる）に関して説明するが、これは本発明に何ら特別な限定を付すものではない。
【背景技術】
【０００２】
飲料は通常、ガラスやプラスチックボトル、アルミニウム又はスチール缶、厚紙又はプラスチックカートン、内袋を含む樽のような容器を段ボール箱に入れて消費者に販売される。
【０００３】
消費者は現在、前述した容器から直接飲用するか、容器に収容された飲料を飲用するために飲用グラスに移すかを選択している。多くの消費者は、あるタイプの飲料は香りすなわち風味を高めるために口の広い飲用グラスから飲むことを好む。
【０００４】
飲用グラスは別として、多くの飲料容器は内容物が消費されると、恐らくリサイクル計画の一部となる以外は価値がない。この結果、多くの飲料容器は簡単に破棄され、リサイクルされることはない。したがって、飲用グラス以外の飲料容器の使用に関して多くの国内及び産業上の浪費がある。
【０００５】
しかしながら、特にサービス業において飲用グラスを使用することの問題は、衛生規則（health code）によりグラスを再使用の前に殺菌温度（典型的には８０°以上）で洗浄することが要求されているにも拘わらず、グラスの連続又は頻繁な再使用により、ウィルス性及びバクテリア性の病気（Ａ型及びＢ型肝炎、インフルエンザ、）が蔓延することである。
【０００６】
さらに、サービス産業における飲用グラスの規定は、多くの理由で、営業に著しい出費となる。第一に、ビールや氷で供給する必要があり、飲用グラスを使用前に冷やす気候では、飲用グラスを冷やすのに著しい冷蔵コストがかかる。これは、飲料が収容されている容器だけでなく空の飲用グラスを冷却するのに広大な冷蔵庫のスペースが必要であるからである。また、冷却水を通過させることで飲用グラスを冷やすベンチグラスチラーが使用される場合、そのグラスチラーの購入、設置、ランニングコスト、メンテナンスに多大な費用が発生し、そのグラスに飲料が消費前に注がれるのである。
【０００７】
第二に、最初に飲用グラスを購入し、破損やその他の災難により補充グラスを購入するのに多大な費用が発生する。
【０００８】
第三に、使用した飲用グラスを洗浄するコストは、サービス業の多くの業務のうち重要な要素である。洗浄コストは、グラスの収集、棚置き、洗い、乾燥に関連した人件費、薬剤、熱水、電気のコストを含む。
【０００９】
最後に、サービス業に飲用グラスを除くボトルやその他の容器を供給する飲料会社は、パブ、ナイトクラブその他の場所に、彼らの製品を注ぐ無ブランドの飲用グラス供給する。飲料会社の飲用グラスを提供するコストは、通常、プロモーションガラス製品の予算に入っており、重要である。
【００１０】
飲用グラスを使用することの他の問題は、消費者に知られずに、そこに収容される飲料にアルコールやその他の薬剤が容易に加えられることである。したがって、少なくとも、そこに収容される飲料に酒が加えられる可能性を低減する飲用グラスを有することが望ましい。
【００１１】
さらに、消費者の口や唇が通常接触する飲用グラスの表面は露出しているため、例えば汚い手で汚染される可能性がある。したがって、前述の飲用グラスが汚染される可能性が少ない飲用グラスを有することが有益である。
【００１２】
前記問題の少なくとも幾つかを克服する飲料容器（例えば飲用グラス）を提供する種々の試みがなされてきた。
【００１３】
例えば、シール目的の取り外し可能なリッドを有し、該リッドを消費前に取り外すことができる飲用グラスを提供することが知られている。しかしながら、リッドをグラスに適切に取り付けることは困難であり、その問題は公知の方法では克服されていない。
【００１４】
一つの問題は、シール又は取り外し可能なリッドは飲用グラスの縁（rim）の上部に単に延びていることである。リッドが取り除かれると（これはグラスに接着され又は単に取り付けられているリッドの場合である）、接着剤の残余が残ることがあり、これは接着剤の残余がグラスの縁にある場合に好ましくない。国際公開ＷＯ９６/０５１２３はこのような配置を記載している。
【００１５】
また、グラスの縁の表面積は、比較的小さいため、特に炭酸飲料をグラスに収容することが望まれる場合であって、シールに耐圧性が要求される場合、適切なシールを提供することは困難である。
【００１６】
このため、飲用グラスの頂部にねじ込んだだけのリッドを提供することが知られている。これによりシールが良好でグラス圧力が高くなる。しかしながら、これは飲用グラスの上部表面にねじを設けることが必要であり、グラスの製造コストを増加し、（ねじがグラスの縁に非常に近いので）飲用者に邪魔になる。ねじは容易に破壊され損傷されて鋭いエッジを呈する。この配置はドイツ特許第２０２０５２３９号明細書に記載されている。
【００１７】
取り外し可能なシールをグラスの縁に取り付ける困難性を克服する他の試みは、縁に外方に延びる周フランジを設けることである。これは表面積を増加し、シールの縁への良好な取り付けを提供するが、外方に延びるフランジは飲むことをさらに困難にする。また、フランジは通常比較的薄くて脆いため、破損したりひび割れて鋭いエッジを形成し、重大な障害を引き起こすことがある。このタイプの配置は国際公開ＷＯ９６/０５１２３に記載されている。
【００１８】
飲料（例えばワイン）を収容する飲用容器にリッドを取り付けることの他の問題は、リッド取り付け工程で容器が振られたり叩かれると、ワインが容器の縁にこぼれて、リッドの縁へのシール効果を大いに低減する。このために、ステム（stem）の底に開口を設けて底から充填する特別に設計されたワイングラスを提供することが知られている。これにより、リッドはからのワイングラスに取り付けることができ、ワインをステムを通して充填することができる。ワインがステムを通して漏れないことを保証する必要がある。この配置は非常に複雑で製造コストが高い。ＥＰ３０９３１４はこの配置を記載している。
【００１９】
前記問題に対する簡単な解決手段を提供する他の試みは、グラスの縁に載置され、グラスの側壁の下方に部分的に延びるリッド又はシールを提供することである。このタイプのシールの利点は、縁に接着剤やその他の接合手段を設ける必要がないことである。このかわり、接着手段はグラスの側壁外面で頂部縁より下方に塗布することができる。また、グラスの縁の上で側壁の下方に延びることで、縁はグラス内のワイン（又は他の飲料）の消費の前に汚染から保護される。
【００２０】
しかしながら、このタイプのシールの欠点は、実際にシールがグラスから依然として不注意で取り外されることがあることである。グラスが加圧飲料を収容していれば、圧力の緊密性が以前ほど良好でなくなる。これはグラス内の飲料が消費前に気が抜けることを意味する。解決手段はシールをグラスの壁のさらに下方に延ばすだけであるが、視界がシールで閉塞されることなく、グラスの内容物を見ることができる消費者の利点があることが分かる。また製造コストが増加する。シールが取り除かれると、グラスの側壁の接着剤がねばねばしたまま残る。これはグラスを保持する人に望ましくない。接着剤なしにシールを取り付ける試みは、グラスの比較的滑らかな性質により適切な「手掛かり」すなわちグラスへのシールの取付位置がないので、グラスのこのデザインについて問題がある。したがって、このタイプのシールは加圧又は炭酸飲料に使用するには適していない。
【００２１】
多くの公知のタイプのシール又はリッドについての他の問題は、グラスの内容物をこぼしたり、ひっくり返すことなくグラスからリッド又はシールを取り外すことが困難であることである。これは主に接着剤のアグレッシブな性質による。したがって、リッドの取り外しを簡単にする構成又は設計を備えたシール又はリッドを提供することが可能であるなら、有利である。
【００２２】
飲料容器に取り外し可能なシール又はリッドを提供する試みの困難性は飲用容器（例えばワイングラス）の口部は容器の本体に比べて非常に大きいことである。加圧システムに対しては、リッド又はシールに作用する力は、力＝圧力×面積の式により計算することができる。これにより、比較的狭いネック付容器例えばビールびんに対しては、ビールびんのキャップにかかる圧力は比較的低い。しかしながら、口部の比較的大きいグラスおよび類似の容器（例えば炭酸飲料を収容するもの）に対しては、シールにかかる力の総計は非常に大きい。
【００２３】
グラスの縁を汚染から保護し、加圧飲料をグラスに長期間収容することができ、グラスから剥がれる可能性を低減することができる、グラスのような飲用容器のシール又はリッドを提供することができれば有利である。
【特許文献１】国際公開ＷＯ９６/０５１２３
【特許文献２】ドイツ特許第２０２０５２３９号明細書
【特許文献３】ＥＰ３０９３１４
【発明の開示】
【００２４】
本発明の目的は、前述した従来の１又は複数の欠点を克服し、又は少なくとも改善し、消費者に有用で商業的な選択を与えることである。
【００２５】
本発明の他の目的及び利点は、本発明の実施例を例示した添付図面を参照した以下の説明から明らかとなる。
【００２６】
本発明の広い特徴によると、飲用グラスと該飲用グラスの開口を覆うリッドが提供され、飲用グラスに収容された飲料はリッドによってシールされ、リッドは開口から少なくとも部分的に取り外せるように適合され、これにより飲料を飲用容器から開口を介して消費することができる。
【００２７】
好ましくはリッドは、グラスに対する気密シールを形成し、グラスに収容された炭酸飲料からのガスの漏出を防止する一方、グラスの開口を覆う。
【００２８】
最も特殊な形態では、本発明は飲料容器にあり、該飲用容器は、側壁、縁、及び縁の下方に位置する肩部からなり、取り外し可能なリッドが閉鎖位置で飲用容器をシールし、リッドは前記縁を越えて延び肩部に対向している周エッジを有している。
【００２９】
本発明のこの形態では、肩部は飲料容器に対するリッドの「手掛かり（purchase）」すなわち機械的取り付けを与えることができる。これにより、以前のリッドの欠点であった接着剤を与える必要がない。また、リッドは炭酸又は加圧飲料に最も適している。
【００３０】
好ましくは、肩部は縁と側壁の間に延びている。
【００３１】
好ましくは、肩部は飲用容器の回りに延びている。
【００３２】
肩部は、外方に延びるランド部からなっていてもよく、このランド部は肩部の直下にある側壁に対して外方に延び、肩部に対するリッドの周エッジの機械的取り付けを与えている。
【００３３】
ランド部は、飲料容器のサイズに依存して０．５−５ミリメートルの幅を有していてもよい。
【００３４】
側壁、縁、及び肩部は一体に形成してもよい。
【００３５】
複数の肩部を設けてもよい。これらは、お互いに下方に延びて、飲用容器の回りに環状バンド状の肩部を提供している。望まれるなら、１−１０、典型的には１−５の間の肩部を設けてもよい。肩部間の間隔は、飲料容器のサイズ、容器内の圧力、リッドのタイプ等に依存して、１−１０ミリメータであればよい。
【００３６】
肩部は、側壁に対してほぼ直角以外の角度をなしている。例えば、肩部は該肩部の直下の側壁に対して３０−９０°の鋭角を形成してもよい。これはリッドの容器への機械的取り付けを向上する「アンダーカット」を与えている。
【００３７】
肩部はリッドの容器に対する取り付けを向上する他の形状（profile）からなっていてもよい。この形状は、リッドの容器に対する機械的取り付け又は「鍵かけ（keying）」を向上する凹部、突起などからなっていてもよい。
【００３８】
例えば、肩部は飲料容器の縁領域の回りに延びるほぼＵ字形溝からなり、該溝にリッドのエッジが入るようにしてもよい。この実施形態は図３５−３８に示されている。
【００３９】
望まれるなら、リッド及び/又は容器は、リッドの容器からの取り外し又は少なくとも部分的な取り外しを向上する手段を備えていてもよい。この手段は、典型的にはリッドを取り外すことを望む人によりよいグリップを提供することにより、リッドの取り外し又は少なくとも部分的取り外しを向上するタブ、突起、凹部、指孔、その他の形状又は取り付け物からなっていてもよい。
【００４０】
ある広い形態では、前記手段はプルタブからなっていてもよい。プルタブはリングプルからなっていてもよい。プルタブは、細長部材（典型的にはストリップ部材）に取り付けられた指把持可能部（リングプル又はその他のタイプの指把持可能部）からなっていてもよい。細長部材はリッドの一部からなり、プルタブを引っ張ることにより細長部材がリッドの残りの部分から裂け、又はリッドの残りの部分から持ち上げられて、リッドを弱めてリッドの取り外しを向上するようにしてもよい。
【００４１】
前記手段は、リッドの１つの領域又は部分、１以上の領域又は部分からなり、持ち上げ、取り外し、又は操作されて、リッドの取り外しを向上するようにしてもよい。この向上手段は操作することでリッドを弱めることからなっていてもよい（リッドの一部を取り外すことによりリッドを弱めて、リッドを容易に取り外すことができる）。これらの領域又は部分は脆化領域、又は弱め領域からなっていてもよい。
【００４２】
代案として、リッドは容器に少なくとも部分的に押し込むことができる領域又は部分を備え、リッドの残りの部分の取り外しを向上することができる開口又は領域を提供する。
【００４３】
リッド及び/又は容器は、不正開封防止手段を備えていてもよい。いかなる適切なタイプの不正開封防止手段も本発明の範囲内に入ると考えられる。不正開封防止手段はリッドを不正開封すると取り除かれ又は破損する突起又はタブからなっていてもよい。
【００４４】
リッドの取り外しを容易にする手段は、リッドの残りの部分から取り外すことができるリッドの一部からなっていてもよい。この部分は肩部の回りであり、この部分の取り外しにより、容器へのリッドの機械的取り付けを解除し又は少なくとも減少して、リッドをさらに容易に取り外すことができる。
【００４５】
リッドの取り外しを容易にする手段は、少なくとも縁の一部の回りに延びるリッドの一部からなっていてもよく、リッドのこの部分の取り外しにより、リッドの縁への取り付けが減少し、リッドの容器からの取り外しを容易にする。
【００４６】
リッドの取り外しを容易にする手段は、レバーからなっていてもよい。レバーは別個に形成されて、リッドに取り付け可能であってもよい。代案としては、レバーはリッドと一体に形成されている。レバーの移動により、リッドを縁から少なくとも部分的に梃子で動かして、リッドの取り外しを容易にすることができる。
【００４７】
したがって、この手段を設けることの利点は、リッドをさらに強固な方法で取り付けることができ、比較的容易な方法で取り外すことができ、アルコール飲料、特に加圧飲料を収容するのに適しており、リッドの容器へのさらに強固な取り付けによりリッドの圧力保持特性を向上することができることである。
【００４８】
本発明による飲用グラスは、飲料を保管する容器と、内容物を通常の方法で直接消費することができる伝統的な飲用グラスとの両方を供給することができる。
【００４９】
好ましくは、飲用グラスは再使用されるように適合されている。
【００５０】
飲用容器は、ガラス、セラミック、プラスチック、金属、合成材料等から構成されてもよい。典型的には、グラスはプラスチックから作られる。グラスは、典型的には、ブロー成形又は射出成形プロセスを使用して製造される。ＰＥＴは適切なプラスチックであると考えられるが、飲用グラスが作られる材料、及び飲用グラスが作られる方法になんら特別な限定をおくべきではないことは認識されるべきである。
【００５１】
したがって、この明細書で使用される「グラス」の用語は、限定的な方法で解釈することを意味するものではなく、任意の適切な材料で作ることが出来る飲用容器を記載するために広く使用される用語にすぎないことを認識されるべきである
【００５２】
飲用グラスはいかなるサイズ、形状でもよい。例えば、飲用グラスは伝統的なサイズと形状のビールグラス又はワイングラスでもよい。さらに詳しくは、飲用グラスはほぼ平坦な円形ベースと、該ベースから上方に延びるステムと、該ステムから上方に延びてテーパがあってもよいし無くてもよい容器部又はボウルとを有していてもよい。
【００５３】
さらに詳しくは、容器がビールグラスであれば、このビールグラスはピルスナーグラスであってもよい。容器がワイングラスであれば、このワイングラスはフルートグラスであってもよい。もちろん、ビールグラスやワイングラスとして容器を記載しているにすぎず、本発明は何ら限定するものではいことを認識すべきである。
【００５４】
飲用グラスは、いかなるタイプの飲み物、飲料を収容してもよく、炭酸飲料、「スチル（still）」飲料、ソフトドリンク、コーディアル、ワイン、ビール、乳飲料、アルコール混合飲料又は非アルコール混合飲料を含む混合飲料、お茶、コーヒー、ジュース、懸濁飲料（典型的には液体中に植物粒子を含む）、飲料分散、乳液、濃縮飲料等からなっていてもよい。容器内にある飲料又は製品のタイプになんら特別な限定をおくべきではないことは認識されるべきである。
【００５５】
実際に、本発明は粘性があり、スプーンで食べあり、容器から吸う（ストローを介して）必要がある製品を含んでいてもよいことが考えられている。これらの製品はヨーグルト、クリーム、ゲル等を含んでいてもよい。
【００５６】
リッドは飲用容器の開口を覆うのに適した任意の材料からなっていてもよい。したがって、リッドはプラスチック材料、金属材料、合成材料等からなっていてもよい。
【００５７】
リッドは、典型的にはフィルム又はシートからなり、所望の特性を提供する異なる材料の積層からなっていてもよいことが想定されている。積層は、リッドに必要な強度特性、ガス不透過性等を保有させることができる。リッドは第１材料からなる第１ゾーン又は領域と、第２材料からなる第２ゾーン又は領域からなっていてもよい。リッドは剛性材料からなる第１ゾーン又は領域と、柔軟材料からなる第２ゾーン又は領域とからなっていてもよい。
【００５８】
リッドは、予成形アルミニウムの一体部品からなっていてもよいが、その代わりに、他の金属又は予成形/成型されたプラスチックすなわち樹脂のような他の材料を使用してもよい。
【００５９】
適切には、リッドは、容器内の飲料をシールするインナー部材と、リッドが容器に取り外し可能に固定されるのを保証するアウター部材とからなる２つ又はそれ以上の部材からなる。
【００６０】
予成型アルミニウム又は他の材料からなる部材は、好ましくは、ほぼ平坦な円形ディスク部を有し、その下側は円形凹部とスリーブ部によって囲まれていてもよい。
【００６１】
リッドはシールを備えていてもよい。シールはリッドと一体に形成されていてもよいし、又は別個に形成されてリッドに固定されてもよいし、別個に形成されて容器に固定されてもよい。
【００６２】
シールはリッドと飲用グラスの間のシールを形成するために好ましくはリッドの内側に設けられる。
【００６３】
シールは十分なシール作用を与える任意の適切な材料からなっていてもよい。シールはプラスチック材料、弾性材料、ゴム、ネオプレン、設定可能材料（settable material）等からなっていてもよい。特殊な実施形態では、シールリッドの内側に一体成形される熱可塑性エラストマーからなる。
【００６４】
前述したように、リッドは取り外し可能部を含んでいてもよく、それは好ましくはリッドの上で延びる脆化ライン（frangible line）で規定される。取り外し可能な部２つの副部分を含んでいてもよい。副部分は好ましくは円形副部分と、該円形副部分から延びる細長副部分である。取り外し可能部にプルキーを固定することができ、これによりプルキーを引っ張って飲用グラスを開放することで、少なくとも１つの副部分をリッドの残りの部分から分離することができる。
【００６５】
プルキーは好ましくは熱可塑性プラスチックから構成されるが、アルミニウムのような他の材料から構成されてもよい。リッドのスリーブ部は、該リッドが飲用グラスの開口を覆ったときに容器のリップ（lip）を覆うのが好ましい。リッドは飲用グラスのリップを覆い、リップが汚染されるのを防止してもよい。
【００６６】
リッド及び/又は容器の上部は保護カバーを含んでいてもよい。保護カバーは熱収縮プラスチックスリーブ又はフジシール（fuji seal）からなっていてもよい。
【００６７】
スリーブ又はシールは好ましくは、該スリーブ又はシールに沿って延び、脆化ラインによって規定される取り外し可能なストリップを有し、これにより取り外し可能なストリップをスリーブ又はシールの残りの部分から引き裂き、スリーブ又はシールをグラスから容易に取り外すことができる。スリーブ又はシールは飲用容器のリップを覆い、該リップが汚染されるのを防止する。
【００６８】
リッドは、開放前に多くのグラスを積み重ねることができるように適合されている。例えば、包装、輸送中、及び冷蔵庫又は棚にあるとき、未開封の飲用グラスを他の未開封の飲用グラスの上に積み重ねることができる。グラスは複数セット（例えば６個パック、１カートン等）で包装することができるし、パレットで積み重ねる方法で包装することもできる。
【００６９】
他の実施形態では、本発明は、飲用容器に取り付けることができる取り外し可能なリッド/シール/キャップを有する。このリッド/シール/キャップは、飲用容器の頂部を越えて延びるように適合された本体部と、飲用容器の側壁と係合するように適合されたエッジ部（縁を含む側壁）と、リッド/シール/キャップを少なくとも部分的に開口させ、リッド/シール/キャップをさらに容易に取り外すことができるように弱める開口手段とからなる。  
【発明を実施するための最良の形態】
【００７０】
以下、本発明が十分に理解され、実施できるようにするために、本発明の実施形態を添付図面を参照して説明する。
【００７１】
本発明の様々な実施例を詳細に説明する。最初に、図１と２を参照すると、本発明の実施形態によるシールされ予め充填されたビールグラス２０が示されている。
【００７２】
グラス２０は、略平坦な円形ベース２１と、該ベースから上方に延びるステム２２と、該ステム２２から上方に延びる細長く緩やかなテーパが付けられた円筒容器部２３とからなる。
【００７３】
容器部２３の底は、該容器部２３に収容されたビールが底から漏れないように、閉じられている。
【００７４】
容器部２３の頂部は、連続リップ２４で囲まれた開口（見えない）を有し、当該リップ２４は約１ミリメータだけ容器部２３のテーパ付側壁から突出している。容器２０の開口はリッド３０により覆われ、容器部２３に収容された飲料が当該リッド３０によりシールされるようになっている。
【００７５】
リッド３０は開口から実質的に取り外されるように適合され、これにより容器２３に収容されたビールがグラス２０から開口を通して消費されるようになっている。
【００７６】
リッド３０は、ほぼ平坦な円形ディスク部３１を有する予め成形されたアルミニウム製の一体ピースを有する。円形ディスク部３１の下側は円形凹部３２とスリーブ部３３により囲まれている。熱可塑性エラストマーにより設けられたシール３４が、リッド３０の部分３１，３２，３３の下側に一体成形されている。ディスク部３１は取外し可能部３５を有し、該取外し可能部３５はディスク部３１に沿って延びる弱め線（frangible line）３６により規定されている。取外し可能部３５は円形副部分３７と該円形副部分３７から延びる細長副部分３８の２つの副部分を含む。円形副部分３と細長副部分３８の接合点で、エンジニアリングプラスチックから構成される人間工学的形状のプルキー３９が、アルミニウム製リベット４０により取外し可能部３５に固定され、該リベット４０はディスク部３１との気密シールを形成している。
【００７７】
ビールグラス２０の容器部２３がビールで満たされると、リッド３０が容器部２３の開口に取り付けられる。これにより、容器部２３の縁がリッド３０の凹部３２により受け入れられ、リッド３０のスリーブ部３３がリップ２４を覆う。シール３４は、ビールが容器分２３の内側に密封されるように、容器分２３とリッド３０の間の気密シールを形成している。リッド３０はスリーブ部３３とリップ２４の間の機械的結合により容器分２３に固着されている。
【００７８】
スリーブ部３３の幅は、好ましくは、グラス２０から直接ビールを消費するときに少なくとも人の口と唇が通常接触する容器分２３の部分を覆うような幅である。例えば、スリーブ部３３の幅は、縁から開始して該縁の下方の少なくとも１５ミリメータのところで終わり、リップ２４を含む容器分２３の円筒部を覆うような幅である。これにより、リッド３０が取り外される前に容器分２３の前述の部分が汚染される可能性が低減する。
【００７９】
リッド３０と容器部の側壁の上部とは、熱収縮プラスチックスリーブ又はフジシール（fuji seal）４１で被覆してもよい。スリーブとシール４１は取外し可能ストリップ（不図示）を有していてもよい。この取外し可能ストリップは、スリーブ又はシール４１に沿って延びる弱め線によって規定され、スリーブ又はシール４１の残りから引き裂くことができるようになっており、これによりスリーブ又はシール４１がグラス２０から容易に取り外すことができる。スリーブ又はシール４１は、グラス２０の縁を汚染から保護し、商標を付したり、グラス２０を開封する簡単なインストラクションを印刷する領域を提供している。
【００８０】
ビールグラス２０を開封するには、指を使ってプルキー３９を図３に示す矢印Ａ方向に上方へ持ち上げる。これにより、円形副部分３７の近傍にあるプルキー３９の一部が円形副部分３７に接触し、該円形副部分を押圧して、細長副部分３８を除くリッド３０の残りから副部分３７を取り外すことができる。グラス２０を開封するこの初期の段階は、従来のアルミニウム缶を開封するのに類似している。この結果、円形開口がリッド３０に形成され、この円形開口を通してグラス２０内のビールを注ぎ、消費することができる。人はこの段階でグラス２０から飲むことができるし、グラス２０の内容物を消費する前にリッド３０を完全に取り外すようにしてもよい。リッド３０を完全に取り外すために、人はプルキー３９を図４の矢印Ｂに示す方向に引っ張り、副部分３８をリッド３０の残りから図４の矢印Ｃに示す方向に持ち上げて、取外し可能部分３５の少なくとも副部分３８をリッド３０の残りから取り外さなければならない。これにより、グラス２０とリッド３０の間のシールが破られ、リッド３０をグラス２０から取り外すことができる。リッド３０のディスク部３１に形成された円形開口４２と細長開口４３は図４に見られる。
【００８１】
図５は、リッド２０が取り外された後のビールグラス２０の頂部を示す。容器分２３の開口４４とリップ２４は図に明瞭に見られる。
【００８２】
本発明による様々なグラスの実施形態が図６−７に示されている。図６と７にそれぞれ示されたグラス５０と６０は、ビールグラス２０のリッド３０に類似するリッド３０を有する。グラス５０と６０はそれぞれ混合飲料用、ワイン用に設計されている。
【００８３】
ビールグラス、２０，５０，６０の各々は、ピルスナー飲用グラスであり、そこからビールを飲用するタイプの飲用グラスである。
【００８４】
本発明による発泡ワイングラス７０が図８に示されている。ワイングラス７０は、そこから発泡又は泡立たない白ワインが飲まれるフルート型の飲用グラスである。ビールグラス２０，５０，６０と同様に、ワイングラス７０はほぼ平坦な円形ベース２１と、該ベース２１から上方に延びるステム２２と、該ステムから上方に延びる細長い緩やかなテーパが付けられた円筒容器部２３とからなる。ビールグラス２０，５０，６０のリッド３０に類似するリッド３０が、ビールグラスと関連して前述したのと同じ方法でグラス７０を覆っている。
【００８５】
図９は、熱収縮性プラスチックスリーブ又はフジシール４１の無いリッド３０を示している。
【００８６】
図１０−１４を参照すると、本発明のコンセプト２１を示す。この例では、飲料容器４５０は特殊な縁形状４５１（すなわち小さな水平）を有する。リッド４５２は、飲用容器４５０の頂部に取り付けられているが、プルタブ４５３により取り外すことができる。プルタブ４５３は初期には飲用グラスの壁に平行であるが（図１０参照）、図１１に示すように持ち上げることができる。プルタブは周バンド４５３Ａに取り付けられ、該周バンドはリッド４５２の残りを飲用容器に取り付ける機能を有する。プルタブを持ち上げると、バンド４５３Ａは符号４５４で示す領域に裂け、図１３に示すように引き離すことができる。これにより、リッドが緩められ、図１４に示すように完全に取り外すことができる。
【００８７】
図１５−１８は、本発明のコンセプト２を示す。取外し手段は、縁８１に圧着された外自由端９１を有するレバー９０からなる。自由端９１は上方に持ち上げてリッドの一部８６を飲料グラスに押し込むことができる。しかしながら、部分８６を内方に押し込むのに十分に持ち上げると、レバーの他端９２を持ち上げて取外し可能ストリップ９３を引き裂き、リッドの残りから分離して、リッドをより容易に取り外すことができる。
【００８８】
図１９−２２（コンセプト１８）を参照すると、本発明のさらなる実施毛形態が示されている。この実施形態では、飲用容器３２０はリップ３２１を有する。リッド３２２が設けられ、該リッドは凸形状を有する（図２１）。リッド３２２は側壁３２３を有し、凸形状が押圧されると凹形状になる（図２２）。これにより、側壁３２３が拡張し、側壁が飲用容器のリップと側壁から外れ、リッド３２２を取り外すことができる。
【００８９】
図２３−２６を参照すると、本発明のコンセプト２２が示されている。この形態では、飲用容器４５５はリッド４５６を有し、該リッド４５６はプルタブ４５７を備えている。プルタブ４５７は最初に図２３に示すようにリッドの上に重なっているが、図２４に示すように持ち上げることができる。この位置にプルタブを持ち上げて、該プルタブのレバーアームを介して梃子を作用させ、引き裂きライン４５７Ａに沿ってリッドを裂ことができる。この動作により、縁形状４５１（図２５参照）からリッド４５６を外すことができ、図２６に示すようにリッドを取り外すことができる。
【００９０】
図２７−２９（コンセプト５）は、グラスからリッドの取り外しを容易にする他の実施形態を示す。リッド１１０はグラスの縁８１の上に取り付けられている。リッド１１０は周ストリップ１１２に取り付けられたプルタブ１１１を有する。ストリップ１１２は、典型的には弱め線又は多数の小孔によってリッドの残り部分から分離することで裂け易い又は「分離しやすい」方法で、リッドの残りの部分に取り付けられている。リッド１１０を取り除くために、プルタブ１１１を把持して、図２８に示す方法でリッドから引き離す。タブ及びストリップ１１２を完全に引き離すと、リッドの縁への「機械的結合」を取り除く効果が得られ、リッドを容易に取り外すことができる。
【００９１】
図３０−３３は、本発明のさらなるコンセプト（コンセプト１２）を示す。このコンセプトは「リップオフ（rip off）」機能とみることができる。この特殊なコンセプトは、飲用容器２６０はリッド２６１によって保護される。リッドは飲用容器２６０の縁を越えて延びる外リング２６２を有する。中央部２６３はリッド２６１の残りを形成し、中央部２６３はリフティングタブ２６４を有する。実際に、リフティングタブを持ち上げると、中央部２６３の一部が下方に押され、リッドの外リング２６２の隣接部分から引き裂いて離すことができる。これは図３１に良好に示されている。この段階では、中央部２６３の残りは外リング２６２の残りから引き裂いて離すことができ、これは図３２に良好に示せている。これにより、外リング２６２は飲用容器２６０の縁に残ったままとなる。外リング２６２は比較的軟質のプラスチック又は類似の材料で形成することができ、気持ちよく飲む体験ができる。外リング２６２は、荒い動作により飲用容器の縁に細片が残るのを防止し低減することができる。
【００９２】
図３４−３７は、本発明のさらなるコンセプト（コンセプト１５）を示し、「ピールオフ」２パート型リッドとしてみることができる。飲用容器２８０は外リング２８２と中央部２８３からなるリッド２８１を有する。このコンセプトでは、リフトタブ２８４が設けられ、該リフトタブは外リング２８２に取り付けられている。実際には、リフトタブを持ち上げると、外リング２８２が裂ける（図３５参照）。図３５に最良に示すように、外リングを飲用容器２８０の縁から部分的にはぎ取ることができる。十分な量の外リング２８２を取り外すと、中央部２８３を飲用容器２８２から取り外し、リッドを飲用容器から完全に取り外すことができる。これは図３６に最良に示されている。
【００９３】
図３８−４０を参照すると、本発明の実施形態（コンセプト１）が示され、これは側壁８０を有する飲料容器又はグラスからなる。側壁は頂部縁８１を有する（図４０参照）。縁は側壁８０から上方に延びて外方に延びる水平肩部８２を形成し、該肩部は０．５―５ミリメータの幅を有する。縁８１の頂部にリッド８３が取り付けられている。リッド８３は周縁８４を有し、該周縁は縁８１の頂部を越えて延び、肩部８２の下部で終わっている。このように、リッド８３は機械的にグラスに取り付けられている。これにより、より良好なより強いシールが可能となり、グラスに望まれるなら炭酸飲料を収容することができる。
【００９４】
環状シール８１Ａがリム８１の上方でかつリッド８３の下方に配置されている。リッド８３は機械的にグラスに強く取り付けられるので、シール８１Ａがグラスに強く圧縮され、全システムを気密にすることができる。
【００９５】
リッド８３の取り外しは、プルタブを設けることで、周エッジを縁８１から梃子で持ち上げるよりも容易に行える。この特殊が実施形態のプルタブは、ストリップ部材８５に取り付けられたリングプル８４からなり、ストリップ部材８５はリッド８３の一部を形成し、弱化領域により規定され、ストリップをリッドの残りから引き出すことができる。最初にリングプル８４を前方に引っ張ると（図３８参照）、リッド８３の他の部分８６が内方に押圧される。これにより、リングプルとストリップ部材８５の取り外しが向上する。これが生じると、タブをさらに引っ張ることにより、リッドがグラスからリッドと縁（特に肩部８２）の機械的結合に抗して、梃子で動かされる。
【００９６】
図４１−４３（コンセプト６）は本発明の他の実施形態であって、リッドをグラスからもっと容易に取り外すことができる手段を示す。この実施形態では、リッド１２０は脆化ストリップ部１２２に取り付けられたプルタブ１２１を有する。プルタブを上方に持ち上げて引っ張ると、ストリップ部１２２をリッド１２０の残りから引き裂くことができる。これによりリッドが十分に弱められ、プルタブ１２１によりリッドを容易に取り除くことができる。
【００９７】
図４４−４８を参照すると、本発明の他の実施形態（コンセプト１７）が示されている。この実施形態では、リップ３１０とクランピングリッド配置３１１が設けられ、該クランピングリッド配置はリップ３１０の回りに嵌合し、レバー３１２を有する。該レバーは引っ張ってスプリングクリップ３１３を拡張し、クランピング配置を取り外すことができ、リッド３１１を取り外すことができる。外部スプリングクリップは円形や平坦な断面を含む任意の形態をとってもよい。
【００９８】
図４９−５２を参照すると、本発明のコンセプト２３が示されている。この例では、飲用容器はリッド４６０を有し、このリッドはプルタブ４６１を使用して取り外すことができる。プルタブ４６１は、引裂きライン４６３に至る切欠き部４６２（図５０参照）を介して、引き上げる。プルタブをさらに持ち上げると（図５２参照）、引裂きライン４６３が露出し、プルタブ４６１により引用容器に取り付けられた部分であるリッド４６０の外側部４６４（図５１参照）を剥がすことができる。
【００９９】
図５３−５６Ａを参照すると、本発明のさらなる実施形態（コンセプト１６）が示されている。この実施形態では、引用容器３００はキャップアセンブリを備えている。キャップアセンブリは、基本的に、リップ３０２と、該リップ３０２の回りに固着されたリッド３０１と、該リッド３０１の内側に配置されたサークリップ３０３とからなる。サークリップは、多数の突起３０４を備え、該突起３０４がリッド３０１の対応するスロット３０５を貫通し、サークリップとリッドが分離するのを阻止することで、リッドに対して積極的に保持されている。レバー３０６が引用容器３００の外側に配置されている。レバーは引くことができ（図５５参照）、そうすることで、レバーはサークリップ３０３を拡張し広げて、リッド３０１を解放し、引用容器から取り外すことができる。
【０１００】
図５７−６０は、本発明のさらなるコンセプト（コンセプト１１）を示す。このコンセプトでは、保護リッドは「ツイストオフ（twist off）」タイプの機能を有する。詳しくは、飲用容器２５４は不連続ねじセグメント２５５を備えている（図５９に最良に示されている）。リッド２５６はこのセグメントに取り付けることができる。リッド２５６はセグメント２５５と係合する部分２５７を有するが、リッドを部分的にねじることによりリッドが解放される。リッドは飲用容器２５４に対してねじる必要があるが、最初にリッドを押して、部分２５７をセグメント２５５を乗り越えてその下及びそお回りに係合することで、飲用容器にロックすることができる。
【０１０１】
図６１−６３は、本発明の他の実施形態を示し（コンセプト４）、特にリッドデザインの他の形態とリッドを僅かな努力で開放することができる手段を示す。リッド１００は折り線１０１を有し、前述したのと同じ方法でグラスの縁８１に取り付けられている。しかしながら、リッドの周エッジは小さな延長タブ部１０２を備え（図６１参照）、分離したレバー１０３のための「手掛かり（purchase）」を提供している。レバー１０３はタブ部１０２と係合するように設計された開口マウス１０４を有する。レバー１０３をタブ部１０２に取り付けると、レバーを上方に持ち上げて（図６２）、折り線１０１の回りにリッド１００を曲げ、リッドを「半開」することができる。望まれるなら、レバー１０３を取り外し、リッドの半分を残したまま飲料を飲むことができる。代案として、望まれるなら、リッドをグラスから換算に引き離すことができる。
【０１０２】
図６４−６７を参照すると、本発明のコンセプト２４が示されている。この例では、飲用容器４７０はリッド４７１を有する。リッドは飲用容器の側壁に固定装置（retainer）４７２によって取り付けられている。固定装置４７２は小さなプルタブ４７３を有し、該プルタブは梃子の作用で固定装置４７２をリッド４７１の側壁４７３Ａから取り外すことができる。固定装置４７２を取り外すと（図６５参照）、インナーキャップを容器の縁から外し、リッドを飲用容器の頂部から容易に引き離すことができる。プルタブ４７３はリベットにより固定装置に取り付けられる。
【０１０３】
図６８−７１を参照すると、本発明のコンセプト２５が示されている。この例では、リッド４７５は固定リング４７６を有する。プルタブ４７７は固定リングに取り付けられている。プルタブは持ち上げて（図６７参照）、リッド４７５の側壁４７８から固定リングを取り外すことができる。これを行うと、インナーキャップを容器の縁から外すことができ、リッドを容易に取り外すことができる。
【０１０４】
図７２−７５を参照すると、本発明のコンセプト２６が示されている。この例では、リッド４８０は固定リング４８１によって取り付けられている。プルタブ４８２は固定リングに取り付けられている。プルタブを持ち上げることにより、固定リングが拡張し、リッドの側壁４８３が拡張するので、これによりリッドを取り外すことができる。
【０１０５】
コンセプト２４−２６は、取外し可能なストリップの共通の特徴を有し、この取外し可能なストリップはインナーラバーシールを圧縮し、ストラップが破られ又は取り除かれると、シールが拡張しリッド/キャップの側壁をグラスから外すことができる。
【０１０６】
図７６−７８は、リッド１３０をグラスから取り外す本発明の他の実施形態（コンセプト９）を示す。この例では、リッドを把持しリッドをグラスから引き離すことができる開放レバー１３１が設けられている。
【０１０７】
図７９−８２は本発明のさらなるコンセプト（コンセプト１４）を示し、これは「ポップオフ（pop off）」タイプのリッドとして見られる。この例では、飲用容器２７２は、飲用容器２７０の縁を越えて延びる図８２に最も良く示されたインナーシール部材２７２と、飲用容器の縁を越えて延びるとともにインナーシール部材を越えて延びて飲用容器２７０に固定されたアウターシール部材２７３との２つの部材からなるリッド２７１を有する。アウターシール部材２７３は図７９に最も良く示すように多孔デザインを有し、またアウターシール部材２７３は、最初は図８２に最も良く示すように僅かな凸形状を有している。アウターシール部材は、図８０に最も良く示されているが、インナーシール部材２７２に対して下方に押圧されるように設計されている。この押圧が生じると、アウターシール部材２７３は飲用容器２７０に対する取付け状態から自由になる。これにより、図８１に最も良く示すように、リッド２７１全体が取り外される。
【０１０８】
図８３−８８を参照すると、本発明のさらなる実施形態（コンセプト１９）が示されている。この例では、アウターリッド３３０とインナーリッド３３１が設けられている。アウターリッド３３０はプルタブ３３２とヒンジシステムを有し、ブルタブを上方に引っ張るにつれて圧力を解放することができる。インナーリッド３３１は予めばね付勢されたセグメント３３３を有し、該セグメントは自然状態では外方の「アンロック」位置に付勢されているが、アウターリッド３３０によって適所に保持されている。これにより、アウターリッド３３０が取り外されると（図８５）、セグメント３３３は「ポップオープン」し、リップ３３４から解放される。そして頂部を飲用容器から取り外すことができる。
【０１０９】
図８９−９４を参照すると、本発明のさらなる実施形態（コンセプト２０）が示されている。この例では、飲用容器３４０はリップ３４１を有し、該リップはリッド３４２により覆われている。スプリング３４３がリッド３４２の回りに配置されている。スプリングは多数の湾曲部を有し、該湾曲部はキャップの対応するスロットを貫通している。スプリングの湾曲部はスプリングをリッド３４２に固定し、リッドアセンブリをリップ３４１に固定し続ける。レバー３４４（図９２参照）がスプリング３４３に取り付けられ、レバー３４４の引っ張りによりスプリングが拡張し平坦になり、リッド３４２がリップ３４１すなわち飲用容器３４０から外れる。
【０１１０】
図９５−９８は、容器特に肩部のデザインの種々の非限定的な実施形態を示す。本発明は特定のタイプの肩部にのみ限定すべきではない。
【０１１１】
図９５は、水平方向に延びるとともに外方に延びる環状のランド部からなる肩部１４０を示す。ランド部は肩部１４０の直下の側壁１４１に対して外方に延びている。肩部１４０は、この実施形態では、グラスの外方に延びる縁１４２の下部によって規定されている。肩部１４０はリッドの周エッジ１４３の機械的固定を提供している。
【０１１２】
図９６は、飲用グラスの側壁１４４が環状凹部１４５を有し、環状凹部の上壁がほぼ水平で肩部１４６を規定している代案の実施形態を示す。この実施形態では、縁１４７は側壁１４４に対して外方に延びていない。
【０１１３】
図９７は、リッド１４８と飲用容器の間にきわめて強固な取り付けが要求される場合に適切な代案の実施形態を示す。この例では、複数（３つ）の角張った凹部１４９が縁１５０の上端から下方に延びるように設けられている。各凹部１４９は上肩部１５１を形成している。リッド１４８の周エッジは各肩部に対して機械的に取り付けられ、これによりこの特殊な実施形態では、リッド１４８の周エッジは３箇所で飲用容器に機械的に取り付けられている。
【０１１４】
図９８は、「アンダーカット」１５４を有する下向きに外方に延びる水平肩部１５３を有するリム１５２を示す。リッド１５６の周エッジ１５５は、該周エッジを肩部１５３の回りはもちろんアンダーカット１５４に位置させることで、飲用容器に極めて強固に取り付けることができる。
【０１１５】
図９９，９９Ａ，１００，１００Ａは、図１５−１８に示す飲用容器とリッドの平面図、断面図を示す。
【０１１６】
図１０１−１０４は、本発明のさらなる実施形態を示す。この例では、飲料容器２００はその縁部の外壁に環状Ｕ字形溝部２０１を有している。縁の最上部を越えて延びるシールビード２０２が設けられている。リッド２０３は容器２００の縁を越えてスナップ嵌合可能なエッジ形状を有している。特にこのエッジ形状は、Ｕ字形溝部２０１に嵌合する帰りリップ２０４（特に図１０２参照）を有する。リッドは、飲料容器の縁に押圧すると帰りリップ２０４が溝２０１に付勢されるように、「バネ」性がある。この配置は強度を加える利益がある。またそのノンリターンの特徴は、機械的配置工程（mechanical post process）を介して固定する代わりに、飲用容器のビードを越えて単にスナップさせるだけで製造できる利点がある。
【０１１７】
リフトタブ２０５がこの実施形態に設けられ、該リフトタブは前述したものと比類似ではない。
【０１１８】
図１０５−１０６は、異なるタイプの取り付けを示す。この例では、リッド３１０は環状保持部２１１に取り付けられている。環状保持部２１１は飲用容器２１２に接着され、リッド２１０を飲用容器に取り付けることができる「手掛かり（purchase）」を与える。図１０６の変形例は、容器とキャップ固定具の間の接合を形成するのに、テーパの機械的強度に依存している。これは接着剤に依存する図１０５の変形例と異なる。
【０１１９】
図１０７−１０８を参照すると、これらはさらなるビードの変形例を示す。図１０７は標準タイプの縁を有する容器２５１に接着された機械加工（manufactured）リング２５０を示す。図１０８は凹んだ縁を有する容器２５３に接着された機械加工リング２５２を示す。
【０１２０】
図１０９−１１０Ａは、本発明のさらなるコンセプトを示す。この特殊なコンセプトは、ワインやその他の空気に敏感な飲料に適している。飲料容器２９０はリッド２９１を有する。このリッドは、２つの主要な部分から形成されている。インナーシール部２９２は、グラスの縁に設置され、置換球形部（displacement bulb）２９３を有し、アウターロック部２９２Ａによって適所に固定されている。該アウターロック部は、インナーシール部２９２を越えて延び、グラス壁の凹部に係合することにより、インナーシール部２９２を適所に保持している。インナーシール部２９２は大きな置換球形部２９３を有し、該置換球形部は図１０９に最良に示され、飲用容器２９０の内部に延びている。この置換球形部２９３の機能はグラス内のワインをグラスの頂部（縁）に向かって置換することにある。この利点は、グラス内の空気の量が最小になり、ワインが大量の空気と接触して劣化しないことにある。
【０１２１】
リッドを取り外すと、置換球形部が飲料容器の内側から取り出され、ワインのレベルはグラスの縁からある距離のところに戻り、一杯のワインを提供する。ここでグラスは縁まで満たされないし、それは許されない。したがって、球形部によりグラス内のワインのレベルが一時的に上昇し、空気の閉じ込め容量を最小にする。球形部を取り外すと、ワインのレベルは消費のために「許容」レベルまで戻される。
【０１２２】
リッドは引き裂きタブ２９５とリベット２９６を有し、これによりタブ２９５の持ち上げによりリッドを取り外すことができる。
【０１２３】
他の形態では、本発明は取り外し可能なリッドを有する飲料容器にある。飲料容器はねじを備え、取り外し可能なリッドは相補ねじを備え、リッドはこれらのねじを介して飲料容器に開放可能に取り付けられている。これは本発明のコンセプト７の形態を含む。本発明のこの形態では、ねじが損傷したり鋭いエッジを形成する可能性を減少するような特殊なデザインのねじを提供していることに利点がある。したがって、本発明のさらに特殊な形態では、容器は外ねじを備え、該ねじは複数の分離ねじ部からなる。この本発明のさらに特殊な形態では、ねじ部はより厚く、より強固に形成することができる。ねじ部は飲料容器の回りに延びている。ねじ部の数は２―２０の間であり、好ましい数は５−１５であるが、この数は容器のサイズに応じて変化させることができる。各ねじ部は５−３０ミリメートルの間の長さを有しているが、これは容器のサイズと径に応じて変化させることができる。リッドは典型的には飲料容器の外部ねじと係合する内ねじを有する。リッドは典型的には本体、該本体に付随（depending）する側壁又はフランジからなり、内ねじは典型的には側壁又はフランジに配置されている。
【０１２４】
本発明のさらに他の形態では、容器は内ねじを備え、リッドは外ねじを備えている。これは本発発明のコンセプト１０の形態を含む。リッドは取り付けたときに実質的に容器の頂部内に着座している。本発明のさらに特殊な形態の利点は、飲料容器（例えば、カップ又はグラス）は飲むプロセスを工程を中断させるような外ねじを有しない。ねじは前述したものと同様に、複数のねじ部を有している。代案として、内ねじの損傷の危険性が低下するよう、内ねじは連続ねじからなっていてもよい。
【０１２５】
本発明のこの形態のリッドは、本体部と、外ねじを備える周側壁又はフランジとからなっていてもよい。外ねじは前述したように連続ねじ又はねじ部からなっていてもよい。
【０１２６】
他の実施形態では、本発明は、飲用容器用のリッドからなる。該リッドは、飲用容器の開口頂部を越えて延びるように適合された本体部と、該本体部に付随する周側壁とからなる。周側壁はクランプ手段を有し、該クランプ手段は、側壁が飲用容器にクランプされるクランプ位置から、リッドを飲用容器から取り外すことができるアンクランプ位置に移動可能である。これは本発明のコンセプト３の形態を含むことができる。本発明のこの形態の利点は、リッドを通常のデザインのグラスのような飲用容器にぴったりと取り付けることができ、何ら特別な製造方法や設計を必要としないことである。しかしながら、リッドは特別なデザインの他のタイプの飲用容器にも使用することができることを認識すべきである。しかしながら、本発明のこの形態の特徴は飲用容器は従来のデザインでもよいことである。クランプ手段は、リッドの側壁の回り少なくとも部分的に好ましくは全体的に延びるバンド部材を有していてもよい。バンド部材はクランプ手段により収縮し又は拡張することができる。一つの形態では、クランプ手段は、クランプ効果を生じる「オーバーセンター」型機構を利用したヒンジ型配置を有する。クランプ手段は、ある部分に取り付けられ又はバンド部材のある部分からなる第１脚部材と、他の部分に取り付けられまたはバンド部材の他の部分からなる第２部材とからなっていてもよい。各脚部材は、バンド部材に対してヒンジで取り付けられ、人が引っ張ってクランプ手段を開くことができるある形態のタブ又は類似の部材により、リッドを取り外すことができる。本発明のこの形態では、飲用容器のサイズと製造は前述した通りであり、リッドのサイズやタイプは前述したとおりであってもよい。本発明の第２の形態では、複数のクランプ手段を設けてもよいことが認識される。
【０１２７】
本発明の他の形態では、取り外し可能なリッドを有する飲用容器が提供されている。飲用容器は、内肩部を有する側壁と、飲用容器をシールし前記内肩部により少なくとも部分的に飲用容器に接続された内壁と、圧力解放手段とからなる。圧力解放手段は、内壁に作用して、該内壁を第１位置から第２位置に移動させる。第１位置では、内壁と容器が減少した内容積を規定する。第２位置では、圧力解放手段は内壁を内壁と容器が大きな内容積を規定する位置に移動させ、容器内の圧力を低減し、内壁の取り外しを促進する。これは本発明のコンセプト８の形態を含むことができる。本発明のこの形態では、内壁が容器の小さな内容積（すなわち容器の大きな圧力）を規定する第１位置にあるとき、飲用容器の内部は高圧に維持される。次に、圧力解放手段を起動又は作動させ、内壁を容器の大きな内容積（すなわち容器の小さな圧力）を規定する第２位置に移動させることができる。これにより内壁を取り外すことができる。圧力解放手段は内壁を第１位置に押圧し又は維持することができる部材又は要素からなる。このように、圧力解放手段は、内壁の頂部を越えて延び飲用容器に接続された細長い部材からなっていてもよい。この細長い部材は、内壁が第１位置にあるロック位置と、内壁が第２位置に移動することができるアンロック位置との間で移動可能である。細長い部材はロック位置とアンロック位置の間で回動し、ヒンジ回転し、捩れ、はじき、又は移動することができる。
【０１２８】
本発明による飲用グラスは、飲料を保管する容器と、その内容物を通常の方法で直接消費することができる伝統的な飲用容器との両方で供給することができる。好ましくは飲用グラスは再使用するように適合されている。
【０１２９】
リッドは、剛性リッド、柔軟リッド又は半柔軟リッドからなっていてもよい。リッドは所望の特性を提供するために異なる材料の積層体でもよい。積層体はリッドに必要な強度特性、ガス不浸透性等を保有させることができる。リッドはある材料からなる第１地帯又は領域と、第２の材料からなる第２地帯又は領域からなっていてもよい。リッドは剛性材料からなる第１地帯又は領域と、軟質材料からなる第２地帯又は領域からなっていてもよい。リッドはシールを備えていてもよい。シールはリッドと一体に形成されていてもよいし、別個に形成して容器等に取り付けてもよい。シールは、リッドと飲用容器の間のシールを形成するために、好ましくはリッドの内側に設けられる。シールはプラスチック材料、弾性材料、ゴム、ネオプレン、設定可能材料などからなっていてもよい。特定の実施形態では、シールはリッドの内側の一体成形された熱可塑性エラストマーからなっている。
【０１３０】
図１１１−１１３を参照すると、図１１１には飲用容器４１０（コンセプト３）の上部が示されている。飲用容器は図１１３に最良に示す周縁４１１を有し、該周縁は従来のデザインとすることができる。
【０１３１】
飲用容器はリッド４１２により閉鎖されている。リッド１４２は本体部４１３と付随する側壁４１４とを有する。付随する側壁４１４は縁４１１を越えて飲用容器４１０の側壁のいくらか下方に延びるようにデザインされている。側壁４１４は飲用容器４１０の回りに延びるバンド部材４１５を有する。バンド部材４１５は収縮（クランプ）してリッド４１２を飲用容器４１０に強固に保持し、解放（アンクランプ）してリッド４１２を取り除くことができる。
【０１３２】
シール部材４１１Ａは、リム４１１の上部に取り付けられ、縁４１１とリッド４１２の間にクランプされて良好な圧密シールを提供している。
【０１３３】
クランプとアンクランプはクランプ手段４１６によって与えられる。クランプ手段４１６は「オーバーセンター」型の機構を使用してバンド部材４１５を解放し収縮する。クランプ手段４１６は第１脚部材１７と第２脚部材４１８（図１１２参照）を有し、これらは離れた位置でバンド部材４１５に取り付けられている。小タブ４１９は人の指で把持し、飲用容器４１０から図１１４に示す位置に引き離すことができる。この方法によりクランプ手段が解放位置に作動し、リッド４１２を取り外すことができる。
【０１３４】
図１１７−１２０（コンセプト８）を参照すると、これらの図は本発明の多の形態を示す。本発明のこの形態では、飲用容器４２０は内肩部４２２を備えた周縁４２１を有する。内壁４２３は飲用容器の内側に配置され、内壁４２３の周エッジが内肩部４２２に係合することで保持されるように形成されている。内壁（図１１８に最も良く示す）は僅かに凹形（平面で見て）で、飲用容器４２０の内側に内方に湾曲している。この内壁４２３の「第１位置」では、凹形状は飲用容器の内容積を減少する。これにより、飲用容器が僅かに加圧されると、圧力は内壁４２３を押圧して内肩部４２２にシール係合させる。
【０１３５】
内壁４２３は、凸形状（断面でみたとき）をとり又は飲用容器から外方に湾曲した「第２位置」に移動するのが防止される。圧力解放手段４２４は内壁を図１１８に示す第１位置に保持する。圧力解放手段は、一端４２６が飲用容器の縁４２１に取り付けられ（図１１８−１２０を特に参照）、他端が人によって持ち上げることが出来るタブ４２７を備えた細長部材４２５からなる。
【０１３６】
細長部材４２５は、図１１９に例示する「ロック」位置に瞬時に移動させることができる。しかしながら、タブ４２７を持ち上げることにより細長部材４２５は上方に持ち上げられる。これは図１１９−１２０に例示されている。細長部材４２５を持ち上げると、内壁４２３は図１１８に示す凹状位置から図１１９に示す凸状位置に移動することができる。これにより、圧力が減少し、内壁４２３は肩部４２２との係合が解除される。
【０１３７】
さらに細長部材を持ち上げることにより（図１２０参照）、内壁４２３は飲用容器から完全に取り外される。
【０１３８】
内壁が飲用容器に落ち込むのを防止するために、内壁は接続ピース４２８に取り付けられている。
【０１３９】
図１１４−１１６（コンセプト７）、図１２１−１２３（コンセプト１０）を参照すると、これらはリッドがねじ型配置を使用して飲用容器に取り付けられた本発明の第１形態を例示している。基本的に、図１１４−１１６は飲用容器の外ねじとリッドの内ねじを例示し、図１２１−１２３は飲用容器の内ねじとリッドの外ねじを例示している。
【０１４０】
まず図１１４−１１６を参照すると、飲用容器４３０は一連の離れたねじ部４３１を有し、これは図１１５に例示されている。これらのねじ部によりリッド４３２を飲料容器に圧密に「ツイストロック」することができる。環状シール４３３（図１１６参照）は飲用容器の縁を越えて延び、リッド４３２と飲用容器４３０の間で圧縮される。ねじの設計により、リッドを飲用容器４３０に強固にねじ込むことができ、シール４３３を適切に圧縮し、良好な圧密嵌合を与えることができる。
【０１４１】
ねじ部４３１は、リッド４３２をフル回転することなく迅速に戻して飲料容器から取り外すことができるように設計されている。
【０１４２】
図１１６は、リッドの内ねじ４３４と螺合する飲用容器の外ねじ４３１を断面で例示し、特にリッド４３２と飲用容器４３０の間で圧縮されるシール４３３を例示している。
【０１４３】
図１２１−１２３は、飲用容器４４０が内ねじ部４４１を有し（図１２２参照）、リッド４４２が外ねじ４４３を有する（図１２２参照）異なる実施形態を例示している。リッド４４２は、飲用容器４４０内の着座するように設計され、人の指で操作してリッドを開放位置にねじることができるブリッジ４３３を有する。
【０１４４】
本発明による飲用容器は、グラスが比較的広い口部（シールにかかる力をより大きくする）を有する場合、グラスの周囲に強固（aggressive）ではあるが低いプロフィールの押出部を設けることで、圧力容器（例えば、発泡ワインを収容するグラス）を適切にシールすることの困難性を克服している。キャップ/シール/リッドをプロフィールに「締め」込んで、２つの要素の間に実質的な接合を形成することができる。キャップはアルミニウムのような適切で剛体の材料からなる。キャップはプロフィールを変形して強度を増加し、グラスの縁への一致させることができる。シールは縁とキャップの間に設置することができ、キャップの機械的固定により、高レベルのシールを形成してグラスの内容物を収容することができる。
【０１４５】
キャップのグラスへの強固な取り付けにも拘わらず、キャップから取り外すことができる有る形態を初期部分（initial part）に設けることで、キャップを容易に取り外すことができる。初期部分はキャップの脆化部、プルタブ、ティアオフタブ等からなっていてもよい。これが達成されると、ユーザはグラス/シール/リッド間の残りの摩擦力に容易に打ち勝ち、容易にキャップを取り外すことができる。
【０１４６】
本発明による飲用グラスは、他の飲用グラスや容器に比較して、独自の飲用グラスに飲料を予め包装して商標を付すことができ、飲用グラスから飲むことを好む消費者はもはや飲料を飲用グラスの移す必要がないが、その代わりに予め包装された飲料を直接本発明による飲用容器から飲むことができる点で有利である。
【０１４７】
また、多くの従来の飲用容器に比較して、本発明による飲用グラスは、一旦空にすると、直ちに家庭で再使用可能な容器としての本質的な価値を有する。この結果、多量のグラスの廃棄を低減できる。グラスを保持するかリサイクル計画の一部として破棄するかの選択をユーザに与える。本発明による飲用グラスの再使用可能性は、商業的市場性と品物の知覚的価値に関して著しい効果を有する。これらの効果は以下にさらに説明する。
【０１４８】
本発明による飲用グラスの他の利点は、サービス産業における未殺菌又は不適切に洗浄された飲用グラスの連続的又は頻繁な再使用により蔓延するウィルス性及びバクテリア性の病気の問題を事実上回避することにある。このリッドのデザインは、グラスの縁を汚染から完全に保護し、このためにグラスを開放すると、消費者はグラスの飲み口が汚染さえていないことを保証される。この衛生上の特徴は、アルコール、牛乳、ジュース、ソフトドリンクを含む多くの製品範囲にわたって普遍的影響と応用を与える。
【０１４９】
本発明による飲用グラスは、多くの市場で利用することができる。例えば、飲用グラスは、バー、パブ、レストラン、クラブでの酒の消費を含む業務用酒市場で利用してもよい。また、飲用グラスは、家庭で消費するために酒屋や酒店から酒を購入する持ち帰り用リ酒市場での適用を見出すことができる。さらに、このグラスは、全てのフルーツジュース、ソフトドリンク、栄養飲料、スポーツ飲料その他の非アルコール飲料を含むフルーツジュース、ソフトドリンク市場での適用を見出すことができる。また、グラスは、プレーンミルクからフレーバーミルク、アイスコーヒーその他のドリンクまでの全ての液体乳製品の牛乳市場での適用を見出すことができる。
【０１５０】
前の段落で述べた全ての市場で、本発明による飲用グラスの使用は、消費者の支出選択に強い影響を与え、その他の既存の包装製品に対する市場と著しい相違点を与える。これは、新規で、独特で、衛生的、環境的にやさしい結果だけでなく、消費者が家庭で再使用するのに審美的で愉快な飲用グラスである包装を保持することができるからである。したがって、消費者は、製品を消費すると包装を破棄しなければならない伝統的な包装製品と、家庭で飲用グラスとしての将来の使用のために保持するように特別の設計された本発明による飲用グラスとの選択を直面するであろう。これは消費者に対する相当な動機付け購入要因であることが信じられる。
【０１５１】
本発明による飲用グラスは供給者に著しい印象を与える機会を提供する。製造業者は（紙ラベルを貼るのと対照的に）ブランドや商標をグラスに直接印刷することができるであろう。これにより、消費者の手で何回も洗浄した後でも商標をグラスに表示することができる。消費者の手にあるグラスにブランドを継続して表示しておけることは、内容物を消費した後直ちに廃棄される他の形態の包装に比較すると、供給者にとって大いに価値がある。
【０１５２】
飲用グラスのさらなる利点は、本発明による飲用グラスが保管容器と飲用グラスの両方で供給されるので、サービス業者が飲料が収容されている容器に加えて飲用容器を冷やす必要性を排除することである。
【０１５３】
さらに、本発明による飲用グラスに収容されている飲料を購入することにより、ベンダー（全ての飲料製造業者を含むがこれに限定されない）が飲用グラスを購入するのに支出するお金を減少することができる。
【０１５４】
さらに、飲用容器に入った飲料を購入することで、サービス産業のベンダーは使用した飲用グラスの洗浄に関連する出費を著しく減少することができる。
【０１５５】
さらに、飲料会社は販売促進予算を費やすお金を減少することができる。なぜなら、飲用グラスはブランドや商標が印刷された容器と、販売促進価値のある飲用グラスの両方を提供するからである。
【０１５６】
本発明の精神や範囲から逸脱することなく、ここに記載した本発明の変形や修正が可能であることは、当業者に理解されるであろう。当業者に明らかな変形や修正はここに説明した本発明の広い範囲や領域内に含まれると思われる。
【図面の簡単な説明】
【０１５７】
【図１】本発明の実施形態によるビールグラスの斜視図。
【図２】図１に示すビールグラスの上部の２−２線に沿った断面図。
【図３】図１に示すビールグラスの開放の初期段階を示す。
【図４】図１に示すビールグラスの開放のさらなる段階を示す。
【図５】図１に示すビールグラスの上部のリッドを取り外した状態を示す。
【図６】本発明の他の実施形態によるビールグラスの斜視図。
【図７】本発明のさらに他の実施形態によるビールグラスの斜視図。
【図８】本発明にさらに他の実施形態によるワイングラスの斜視図。
【図９】図２に示す断面図に類似する本発明による飲用ビールグラスの代案の実施形態の上部の断面図。
【図１０−１４】本発明のさらなる実施形態であるコンセプト２１を示す
【図１５−１８】本発明の他の実施形態を示し、リッドを開放し飲料容器からリッドを取り外すことが可能なレバーを示す。コンセプト２。
【図１９−２２】プレストップからなる本発明のさらなる実施形態を示す。コンセプト１８。
【図２３−２６】本発明のさらなる実施形態を示す。コンセプト２２。
【図２７−２９】飲用容器からリッドを取り除くティアアウェイタブを使用する本発明のさらなる実施形態を示す。コンセプト５。
【図３０−３３】「リップオフ」リッドからなる本発明のさらなる実施形態を示す。コンセプト１２。
【図３４−３７】「ピールオフ」リッドからなる本発明のさらなる実施形態を示す。コンセプト１５。
【図３８−４０】飲料容器からリッドを取り除くリングプルからなる本発明の実施形態を示す。コンセプト１。
【図４１−４３】飲用容器からリッドを取り除くために上方に引くティアアウェイタブを使用する本発明の他の実施形態を示す。コンセプト６。
【図４４−４８】オーバーセンターロック機構からなる本発明のさらなる実施形態を示す。コンセプト１７。
【図４９−５２】本発明のさらなる実施形態を示す。コンセプト２３。
【図５３−５６Ａ】レバーとサークリップからなる本発明のさらなる実施形態を示す。コンセプト１６。
【図５７−６０】飲用容器をねじ切ることができるリッドからなる本発明のさらなる実施形態を示す。コンセプト１１。
【図６１−６３】飲用容器からリッドを梃子上げする機械レバーを使用する本発明の他の実施形態を示す。コンセプト４。
【図６４−６７】本発明のさらなる実施形態を示す。コンセプト２４。
【図６８−７１】本発明のさらなる実施形態を示す。コンセプト２５。
【図７２−７５】本発明のさらなる実施形態を示す。コンセプト２６。
【図７６−７８】開放レバーを使用する他の実施形態を示す。
【図７９−８２】「ポップオフ」リッドからなる本発明のさらなる実施形態を示す。コンセプト１４。
【図８３−８８】プルタブからなる本発明のさらなる実施形態を示す。コンセプト１９。
【図８９−９４】スプリングリテーナからなる本発明のさらなる実施形態を示す。コンセプト２０。
【図９５−９８】容器の縁デザインのいくつかの変形例、すなわち肩部の変形例を示す。
【図９９】飲用容器にリッドを取り付ける特定のタイプの異なる図を示す。
【図９９Ａ】飲用容器にリッドを取り付ける特定のタイプの異なる図を示す。
【図１００】飲用容器にリッドを取り付ける特定のタイプの異なる図を示す。
【図１００Ａ】飲用容器にリッドを取り付ける特定のタイプの異なる図を示す。
【図１０１−１０４】リッドを容器にスナップ嵌合する飲料容器の外壁に形成されたほぼＵ字形の溝を含む本発明のさらなる実施形態を示す。
【図１０５−１０６】リッドを飲料容器に取り付けるさらなる変形例を示す。
【図１０７−１０８】さらなるビード変形例を示す。
【図１０９−１１０Ａ】変形バルブを有するリッドからなる本発明のさらなる実施形態を示す。
【図１１１】飲料容器にクランプするリッドであってクランプ位置にあるリッドからなる飲用容器を示す。コンセプト３。
【図１１２】クランプ手段が開放位置にある図１１３の飲用容器を示す。コンセプト３。
【図１１３】図１１３の飲用容器とリッドの断面図。コンセプト３。
【図１１４】取り付け位置にあるねじキャップ（リッド）を備えた飲用容器を示す。コンセプト７。
【図１１５】リッドが開放位置にある図１１６の飲用容器を示す。
【図１１６】飲用容器と閉鎖位置にあるリッドの断面図で、リッドと飲用容器の間の環状シールを示す。コンセプト７。
【図１１７】閉鎖位置にある内壁と圧力解放手段を収容する飲用容器を示す。コンセプト８。
【図１１８】図１１９の飲用容器を断面で示し、閉鎖位置にある内壁を示す。コンセプト８。
【図１１９】開放される飲用容器を示す。コンセプト８。
【図１２０】リッドがほとんど完全に容器から取り外された飲用容器を示す。コンセプト８。
【図１２１】内ねじを有する飲用容器と外ねじを有するリッドの閉鎖位置を示す。コンセプト１０。
【図１２２】図１２３の飲用容器の開放位置を示す。コンセプト１０。
【図１２３】飲用容器の内ねじとリッドの外ねじを示す断面図。コンセプト１０。
【符号の説明】
【０１５８】
２０  グラス
２１  円形ベース
２２  ステム
２３  容器部
２４  連続リップ
３０  リッド
３１  円形ディスク部
３２  円形凹部
３３  スリーブ部
３４  シール
３５  取外し可能部
３６  弱め線
３７  円形副部分
３８  細長副部分
３９  プルキー
４０  リベット
４１  スリーブ
４２  円形開口
４３  細長開口
４４  開口
【図１】
2008512149.tif 000003
【図２】
2008512149.tif 000004
【図３】
2008512149.tif 000005
【図４】
2008512149.tif 000006
【図５】
2008512149.tif 000007
【図６】
2008512149.tif 000008
【図７】
2008512149.tif 000009
【図８】
2008512149.tif 000010
【図９】
2008512149.tif 000011
【図１０】
2008512149.tif 000012
【図１０−１４】
2008512149.tif 000013
【図１５】
2008512149.tif 000014
【図１６】
2008512149.tif 000015
【図１７】
2008512149.tif 000016
【図１８】
2008512149.tif 000017
【図１９】
2008512149.tif 000018
【図１９−２２】
2008512149.tif 000019
【図２３】
2008512149.tif 000020
【図２３−２６】
2008512149.tif 000021
【図２７】
2008512149.tif 000022
【図２８】
2008512149.tif 000023
【図２９】
2008512149.tif 000024
【図３０】
2008512149.tif 000025
【図３０−３３】
2008512149.tif 000026
【図３４】
2008512149.tif 000027
【図３４−３７】
2008512149.tif 000028
【図３８】
2008512149.tif 000029
【図３９】
2008512149.tif 000030
【図４０】
2008512149.tif 000031
【図４１】
2008512149.tif 000032
【図４２】
2008512149.tif 000033
【図４３】
2008512149.tif 000034
【図４４】
2008512149.tif 000035
【図４４−４８】
2008512149.tif 000036
【図４９】
2008512149.tif 000037
【図４９−５２】
2008512149.tif 000038
【図５３】
2008512149.tif 000039
【図５３−５６】
2008512149.tif 000040
【図５７】
2008512149.tif 000041
【図５７−６０】
2008512149.tif 000042
【図６１】
2008512149.tif 000043
【図６２】
2008512149.tif 000044
【図６３】
2008512149.tif 000045
【図６４】
2008512149.tif 000046
【図６４−６７】
2008512149.tif 000047
【図６８】
2008512149.tif 000048
【図６８−７１】
2008512149.tif 000049
【図７２】
2008512149.tif 000050
【図７２−７５】
2008512149.tif 000051
【図７６】
2008512149.tif 000052
【図７７】
2008512149.tif 000053
【図７８】
2008512149.tif 000054
【図７９】
2008512149.tif 000055
【図７９−８２】
2008512149.tif 000056
【図８３】
2008512149.tif 000057
【図８３−８８】
2008512149.tif 000058
【図８９】
2008512149.tif 000059
【図８９−９４】
2008512149.tif 000060
【図９５】
2008512149.tif 000061
【図９６】
2008512149.tif 000062
【図９７】
2008512149.tif 000063
【図９８】
2008512149.tif 000064
【図９９】
2008512149.tif 000065
【図９９Ａ】
2008512149.tif 000066
【図１００】
2008512149.tif 000067
【図１００Ａ】
2008512149.tif 000068
【図１０１】
2008512149.tif 000069
【図１０２】
2008512149.tif 000070
【図１０３】
2008512149.tif 000071
【図１０４】
2008512149.tif 000072
【図１０５】
2008512149.tif 000073
【図１０６】
2008512149.tif 000074
【図１０７】
2008512149.tif 000075
【図１０８】
2008512149.tif 000076
【図１０９】
2008512149.tif 000077
【図１１０】
2008512149.tif 000078
【図１１０Ａ】
2008512149.tif 000079
【図１１１】
2008512149.tif 000080
【図１１２】
2008512149.tif 000081
【図１１３】
2008512149.tif 000082
【図１１４】
2008512149.tif 000083
【図１１５】
2008512149.tif 000084
【図１１６】
2008512149.tif 000085
【図１１７】
2008512149.tif 000086
【図１１８】
2008512149.tif 000087
【図１１９】
2008512149.tif 000088
【図１２０】
2008512149.tif 000089
【図１２１】
2008512149.tif 000090
【図１２２】
2008512149.tif 000091
【図１２３】
2008512149.tif 000092
【国際調査報告】
2008512149.tif 000093
2008512149.tif 000094